(57)【要約】  【課題】  内部の温度上昇を抑えて、光源を熱から保護する液面計用または水面計用の照明器を提供することを目的とする。  【解決手段】  本考案の照明器は、水面計のゲージ本体１の可視窓に対向して配置される光源１２と、光源１２からの光を透過するフィルターガラス９とを備える。さらに、ゲージ本体１からの熱伝導を防ぐために、フィルターガラス９と水面計カバー３との間に、セラミック系の断熱材１３と、赤外線反射ガラス１４とを備える。【選択図】  図１
0003116456.tif 000002
【実用新案登録請求の範囲】
【請求項１】
液を導入するゲージと、前記ゲージ本体の両面に配置される２枚の透過式ゲージグラスと、前記ゲージ及び前記透過式ゲージグラスを挟み込むカバーとを有し、前記ゲージの可視窓を介して液位が目視可能な液面計または水面計に装着される照明器において、
前記ゲージの可視窓に対向して配置される光源と、
前記光源からの光を透過するフィルターガラスと、
前記カバーと前記フィルターガラスとの間に配置される断熱材と、
前記フィルターガラスと前記断熱材との間に配置され、赤外線を反射する赤外線反射ガラスとを備える、
ことを特徴とする照明器。
【請求項２】
請求項１に記載の照明器において、
前記フィルターガラスと前記赤外線反射ガラスとの間に、前記フィルターガラスを透過した光のみを前記可視窓に入射させる遮光板を備え、
前記フィルターガラスは２色のガラスからなる、
ことを特徴とする照明器。
【請求項３】
請求項１または２に記載の照明器において、
前記光源は発光ダイオードであることを特徴とする照明器。
【考案の詳細な説明】
【技術分野】
【０００１】
本考案は、液面計または水面計に装着される照明器に関し、特に、光源を熱から保護する照明器に関するものである。
【背景技術】
【０００２】
従来、暗い場所でも、液面計の液位や水面計の水位を目視で確認できるように、液面計や水面計に装着される照明器が提案されていた（１９９９年９月発行の文化貿易工業株式会社の製品カタログ「液面計／水面計」，Ｐ６１−６２参照）。以下、液面計または水面計に装着される従来の照明器について、透視式水面計と二色式水面計に装着される照明器を例に挙げ、説明する。
【０００３】
図３（ａ），（ｂ）は、透視式水面計およびその照明器の内部構造を示す断面図である。透視式水面計は、ボイラ等の装置から連結管を介して蒸気と水を導入するゲージ本体１の両面に、２枚の透過式ゲージグラス２ａ，２ｂを配置し、ゲージ本体１及び透過式ゲージグラス２ａ，２ｂを水面計カバー３ａ，３ｂで挟み、ボルト４とナット５とで固定して構成する。水面計カバー３ａ，３ｂには、ゲージ本体１の水室内の水位をゲージ本体１の可視窓から目視できるように、可視溝６ａ，６ｂが設けられている。
【０００４】
この透視式水面計に対して照明器７が装着される。照明器７は、ゲージ本体の可視窓に対向する位置に配置される光源８と、光源８からの光を透過するフィルターガラス９と、フィルターホルダー１０とを備える。この照明器７の光源８の光がフィルターガラス９を通してゲージ本体１を照らすことで、水面が光ってその識別が容易になる。なお、光源８としては、白熱電球以外に、蛍光灯が用いられていた。
【０００５】
図４（ａ），（ｂ）は、二色式水面計およびその照明器の内部構造を示す断面図である。二色式水面計は、ボイラ等の装置から連結管を介して蒸気及び水を導入する台形形状のゲージ本体２１の両斜面に、透過式ゲージガラス２２ａ，２２ｂを配置し、ゲージ本体２１及び透過式ゲージグラス２２ａ，２２ｂを水面計カバー２３ａ，２３ｂで挟み、ボルト２４とナット２５とで固定した構成である。水面計カバー２３ａ，２３ｂには、ゲージ本体２１内の水室の水位をゲージ本体２１の可視窓から目視できるように、可視溝２６ａ，２６ｂが設けられている。
【０００６】
この二色式水面計に対して照明器２７が装着される。照明器２７は、光源２８と、フィルターガラス２９と、フィルターホルダー３０と、フィルターガラス２９を透過する光のみを可視溝２６ａ，２６ｂに入射させる遮光板３１とを備える。フィルターガラス２９は、２色のフィルターガラス（例えば、赤色のフィルターガラス２９ａ、青色のフィルターガラス２９ｂ）、および白色フィルターガラス２９ｃからなる。照明器２７の光源２８の光がフィルターガラス２９を通してゲージ本体２１を照らすことで、２色の光が台形形状のゲージ本体２１の水室を通過する際に、水部分と蒸気部分が光の屈折率の差により色分けされる。なお、光源２８としては、白熱電球以外に、蛍光灯が用いられていた。
【考案の開示】
【考案が解決しようとする課題】
【０００７】
上述のように、従来の照明器では、光源として白熱電球や蛍光灯が用いられていた。しかし、白熱電球や蛍光灯は発熱が大きいことから、照明器内の温度が高くなり、光源である白熱電球や蛍光灯の寿命が定格の数分の１になるという問題が生じていた。
また、光源として、白熱電球や蛍光灯より発熱が小さい発光ダイオード（ＬＥＤ）を使用することで、照明器内の温度上昇を抑えることができるが、液面計または水面計が高温になると、照明器内の温度も上昇してＬＥＤの寿命は短くなる。特に、ボイラのような高温の装置内の水位を測る水面計は、ゲージがボイラ内部とほぼ同じ温度を保っているため、ゲージの熱が照明器に伝導する。これにより、照明器内が高温になるので、いかなる光源を使用しても光源の寿命が短くなる。
【０００８】
以上のことから、本考案では、内部の温度上昇を抑えて、光源を熱から保護する液面計用または水面計用の照明器を提供することを目的とする。
【課題を解決するための手段】
【０００９】
本考案は、液を導入するゲージと、前記ゲージ本体の両面に配置される２枚の透過式ゲージグラスと、前記ゲージ及び前記透過式ゲージグラスを挟み込むカバーとを有し、前記ゲージの可視窓を介して液位が目視可能な液面計または水面計に装着される照明器において、前記ゲージの可視窓に対向して配置される光源と、前記光源からの光を透過するフィルターガラスと、前記カバーと前記フィルターガラスとの間に配置される断熱材と、前記フィルターガラスと前記断熱材との間に配置され、赤外線を反射する赤外線反射ガラスとを備えることを特徴とする。これにより、水面計からの熱伝導を抑えて、内部の温度上昇を抑えることができる。
【００１０】
また、本考案は、前記照明器において、前記フィルターガラスと前記赤外線反射ガラスとの間に、前記フィルターガラスを透過した光のみを前記可視窓に入射させる遮光板を備え、前記フィルターガラスは２色のガラスからなることを特徴とする。これにより、二色式水面計の照明器として、使用することができる。
【００１１】
また、本考案は、前記照明器において、前記光源として、白熱電球や蛍光灯より発熱が小さい発光ダイオードを用いることを特徴とする。
【考案の効果】
【００１２】
本考案の照明器によれば、液面計または水面計のゲージからの熱の伝導を防ぐために、断熱材と赤外線反射ガラスとを備えるようにしたので、ボイラのような高温の装置内の液位や水位を計る際に、高温状態になるゲージからの熱伝導を抑えることができる。その結果、照明器内の温度上昇を抑えることができるので、光源の寿命を延ばすことができる。
【考案を実施するための最良の形態】
【００１３】
（実施の形態１）
以下、本実施の形態１に係る照明器について説明する。本実施の形態１では、透視式水面計に装着する水面計用照明器について説明する。本実施の形態１に係る水面計用照明器は、水面計のゲージ本体からの熱伝導を防ぐために、断熱材と赤外線反射ガラスとを備えることを特徴とする。
【００１４】
図１（ａ），図１（ｂ）は、本考案の実施の形態１に係る照明器の内部構造を示す断面図である。図３（ａ），（ｂ）に示す水面計用照明器と同一構成要素については、同一符号を付し、その説明を省略する。
【００１５】
本実施の形態１に係る水面計用照明器１１は、光源１２として、白熱電球や蛍光灯の代わりに、ＬＥＤを備える。ＬＥＤは、白熱電球や蛍光灯に比べて発熱が小さいため、光源１２として白熱電球や蛍光灯を使用する場合に比べて、照明器内の温度上昇を抑えることができる。ＬＥＤは、例えば、図１に示すように、複数個を直線状に等間隔で配置し、かつ、その列を可視溝６ａ，６ｂの縦の全長より長くする。これにより、ゲージ本体１の可視窓全体を均一な明るさで照明することができる。なお、１列で明るさが不足する場合は、複数列のＬＥＤを配置する。
【００１６】
水面計用照明器１１は、さらに、高温状態のゲージ本体１からの熱伝導を抑えるために、水面計カバー３ａとフィルターガラス９との間にセラミック系の断熱材１３（厚さ２０ｍｍ程度）と赤外線反射ガラス１４とを備える。断熱材１３は、水面計カバー３ａからの熱伝導を遮断する。赤外線反射ガラス１４は、可視溝６ａから輻射される赤外線を反射する。
【００１７】
断熱材１３は、光源１２から可視溝６ａ，６ｂへの光の進路を塞がないように開口部１５を備える。断熱材１３の横幅と縦幅は、照明器７の横幅と縦幅と同じ寸法にする。また、断熱材１３の厚みを、赤外線反射ガラス１４とボルト４の先端との距離より少し狭くなるように設定する。これにより、断熱材１３をボルト４の先端に押し付けてはめ込むことで、断熱材１３は変形せずに安定した状態を維持できる。その結果、断熱材１３が変形して可視溝６ａを塞ぐのを防げる。
【００１８】
赤外線反射ガラス１４は、断熱材１３の開口部１５より大きなものとする。これにより、可視溝６ａからの赤外線を確実に反射して、水面計用照明器内１１の温度上昇を防ぐことができる。
【００１９】
以上のように、本実施の形態１に係る照明器は、水面計のゲージ本体１からの熱の伝導を防ぐために、フィルターガラス９と水面計カバー３ａとの間に、断熱材１３と赤外線反射ガラス１４とを備えるようにしたことから、内部が高温になるのを防ぐことができる。その結果、光源１２の寿命を延ばすことができる。
【００２０】
（実施の形態２）
以下、本考案の実施の形態２に係る照明器について説明する。本考案の実施の形態２に係る照明器は、ゲージ本体内の蒸気部分と水部分を色分けする二色式水面計に装着される点で、実施の形態１に係る照明器と異なる。
【００２１】
図２（ａ），（ｂ）は、本実施の形態２に係る水面計用照明器の内部構造を示す図である。図４（ａ），（ｂ）に示す水面計用照明器と同一構成要素については、同一符号を付し、説明を省略する。
【００２２】
本実施の形態２に係る水面計用照明器３２は、白熱電球や蛍光灯の代わりに、複数のＬＥＤからなる光源１２を備える。光源１２については、実施の形態１に係る水面計用照明器１１の光源と同様であるので、その説明を省略する。
【００２３】
さらに、水面計用照明器３２は、高温状態のゲージ本体２１からの熱伝導を抑えるために、水面形カバー２３ａと遮光板３１との間にセラミック系の断熱材１３と赤外線反射ガラス１４とを備える。赤外線反射ガラス１４は断熱材１３と遮光板３１との間に配置される。断熱材１３及び赤外線反射ガラス１４の構成、及び取り付け方法については、実施の形態１で説明したので、その説明を省略する。
【００２４】
以上のように、本実施の形態２に係る照明器は、水面計のゲージ本体２１からの熱伝導を抑えるために、水面計カバー２３ａと遮光板３１との間に、断熱材１３と赤外線反射ガラス１４とを備えるようにしたことから、内部が高温になるのを防ぐことができる。その結果、光源１２であるＬＥＤの寿命を延ばすことができる。
【００２５】
なお、実施の形態１、２では、光源１２として、複数のＬＥＤを用いる場合について説明したが、本考案はこれに限るものではなく、白熱電球、蛍光灯、エレクトロルミネッセンス（Electroluminescence）、またはその他の光源を用いることでも良い。
【００２６】
また、実施の形態１では透視式水面計に、実施の形態２では二色式水面計に、照明器を装着する場合について説明したが、本考案はこれに限るものではなく、別の種類の水面計や液面計に装着することでも良い。
【産業上の利用可能性】
【００２７】
本考案は、ボイラのような高温の装置内の水位や液位を測定する水面計や液面計の照明器として有用である。
【図面の簡単な説明】
【００２８】
【図１】本考案の実施の形態１に係る、透視式水面計に装着される水面計照明器の内部構造を示す断面図である。
【図２】本考案の実施の形態２に係る、二色式水面計に装着される水面計照明器の内部構造を示す断面図である。
【図３】透視式水面計に装着される従来の水面計照明器の内部構造を示す断面図である。
【図４】二色式水面計に装着される従来の水面計照明器の内部構造を示す断面図である。
【符号の説明】
【００２９】
１，２１  ゲージ本体
２ａ，２ｂ，２２ａ，２２ｂ  透過式ゲージガラス
３ａ，３ｂ，２３ａ，２３ｂ  水面計カバー
４，２４  ボルト
５，２５  ナット
６ａ，６ｂ，２６ａ，２６ｂ  可視溝
７，１１，２７，３２  照明器
８，１２，２８  光源
９，２９ａ〜２９ｃ  フィルターガラス
１０，３０  フィルターホルダー
１３  断熱材
１４  赤外線反射ガラス
１５  開口部
３１  遮光板
【図１】
0003116456.tif 000003
【図２】
0003116456.tif 000004
【図３】
0003116456.tif 000005
【図４】
0003116456.tif 000006